(57)【特許請求の範囲】
【請求項１】
下部に煙流入口が設けられて横断面が矩形状の直方体形のケースと、該ケース内の上下方向に設けられて内部空間を２室に分割するプリント基板と、該プリント基板の一方の空間に形成された検知室とを備えたことを特徴とする火災感知器。
【請求項２】
横断面が矩形状の直方体形のケースと、該ケース内に形成された検知室及びプリント基板とを備えた火災感知器において、
前記ケースを、表ケース及び裏ケースに２分割される主ケースと、該主ケースの下部に結合されて煙流入口が設けられた副ケースとから構成したことを特徴とする火災感知器。
【請求項３】
前記検知室に、前記煙流入口から流入した気流を検知部を通して上昇させて上部から器外に放出する通気路を設けたことを特徴とする請求項１又は２のいずれかに記載の火災感知器。
【請求項４】
前記通気路は、前記検知室内に設けられた光学台の中心部方向を縦断することを特徴とする請求項３記載の火災感知器。
【請求項５】
前記プリント基板の他方の空間に形成された電子部品の実装室を備えたことを特徴とする請求項１記載の火災感知器。
【請求項６】
前記表ケースと裏ケースがネジにより固定されることを特徴とする請求項２記載の火災感知器。
【請求項７】
前記裏ケースに水抜き用の排水口を形成したことを特徴とする請求項２記載の火災感知器。
【請求項８】
前記主ケースに結合される副ケースの逆向きの結合を防止する逆結合防止手段を設けたことを特徴とする請求項２記載の火災感知器。
【請求項９】
前記逆結合防止手段を、前記プリント基板に接続された表示灯に対向して前記副ケースの底面に偏って設けられた表示窓で構成したことを特徴とする請求項８記載の火災感知器。
【請求項１０】
前記逆結合防止手段を、主副両ケースの異なる肉厚の結合部で構成したことを特徴とする請求項８記載の火災感知器。
【発明の詳細な説明】
【０００１】
【産業上の利用分野】
本発明は、火災感知器に係り、さらに詳しくはシステム天井に形成される帯状の開口や天井板に取付用に設けられた長方形の開口に取付けられる火災感知器に関するものである。
【０００２】
【従来の技術】
近来、建設業界において高層建築物等の天井に特殊なユニット構造の梁部材を用いて、フラットで突出部の少ない天井インテリアの意匠を創作することが行われている。ユニット構造の梁部材には、“Ｔバー”と呼ばれる金属梁が用いられる。“Ｔバー”は、２本一組で間隔を空けて逆Ｔ字状に連結される。“Ｔバー”を対構造に連結した複数の梁部材の逆Ｔ字の外側の張出し部には天井板が載置され、内側の張出し部の間に沿って形成される帯状の開口は普通はそのまま開放されていて排気や換気用の通気路に利用される。
【０００３】
図１４はシステム天井の天井板に取り付けられた従来の露出型の火災感知器の構成を示す説明図である。
図１４において、１０１は天井板１０２に穿設された天井孔、１０３は電源兼信号線等の配線である。また、１０４は内部に円筒形の煙検部１０５を備えた円筒状の火災感知器の本体、１０６は本体１０４の煙導入口に設けられた防虫用の金網である。１０７は本体１０４を天井板１０２側に取付けるための露出型ベースで、天井板１０２にネジ或いはボルト・ナット等の図示されていない固定手段により固定されている。
【０００４】
上記のように構成された従来の火災感知器においては、天井面に沿って水平方向に流れる煙が本体１０４の煙導入口から金網１０６を介して煙検部１０５に流入して火災が検知されるようになっている。
【０００５】
【発明が解決しようとする課題】
ところで、天井面をできるだけすっきりさせるために、火災感知器の小型化が要請されており、特に、最近実用化されている前述のシステム天井の場合には、上述した従来例のように天井面に穴を明けて円筒状の火災感知器を取付けるのでは、天井面をできるだけすっきりさせるというシステム天井の思想に反する等の問題点があった。
【０００６】
本発明は、このような従来の火災感知器の問題点を解消するためになされたもので、天井面の露出部が少なく小型な直方体型で、しかも設計面や意匠面で特にシステム天井に好適でその他の利点のある火災感知器を実現することを目的とするものである。
【０００７】
【課題を解決するための手段】
この発明に係る火災検知器は、下部に煙流入口が設けられて横断面が矩形状の直方体形のケースと、ケース内の上下方向に設けられて内部空間を２室に分割するプリント基板と、プリント基板の一方の空間に形成されて検知室とを備えたものである。
また、この発明に係る火災検知器は、横断面が矩形状の直方体形のケースと、該ケース内に形成された検知室及びプリント基板とを備えてなり、前記ケースを、表ケース及び裏ケースに２分割される主ケースと、該主ケースの下部に結合されて煙流入口が設けられた副ケースとから構成したものである。
【０００８】
また、検知室に、前記煙流入口から流入した気流を検知部を通して上昇させて上部から器外に放出する通気路を設けたものである。
また、通気路は、前記検知室内に設けられた光学台の中心部方向を縦断するようにしたものである。
また、プリント基板の他方の空間に形成された電子部品の実装室を備えたものである。
また、表ケースと裏ケースをネジにより固定したものである。
また、裏ケースに水抜き用の排水口を形成したものである。
また、主ケースに結合される副ケースの逆向きの結合を防止する逆結合防止手段を設けたものである。
また、逆結合防止手段を、前記プリント基板に接続された表示灯に対向して前記副ケースの底面に偏って設けられた表示窓で構成したものである。
さらに、逆結合防止手段を、主副両ケースの異なる肉厚の結合部で構成したものである。
【０００９】
【作用】
火災感知器の本体の主ケース内に、プリント基板が組み付けられてから副ケースが結合される。ケース前面の検知室には検知部が配置され、裏面の実装室にはプリント基板に実装されたチップ部品が収容される。装着金具の上部には、入出力用の端子機構が固定される。
【００１０】
端子機構を固定した装着金具を、脚立状に開かれた固定金具の脚部の間に端子機構側から差し込む。締付ネジを内部側から装着金具のバカ孔に挿入し、それぞれネジ先だけを脚立片のネジ孔に僅かに螺合させる。ネジ先だけの螺合で端子機構を取付けた装着金具が、固定金具の脚部の内側に仮組付される。仮組付けされた装着金具上の端子機構の端子台の各接続端子に、天井裏から引き出された入出力用の配線が接続される。
【００１１】
仮組付けの状態では装着金具が、螺合されていないネジ部の範囲内で自由に移動できる。そこで、バネ性の脚部を押圧して間隔を狭めながら、固定金具を装着金具に押し付ける。押付けられた固定金具の足部の先端が額縁枠に嵌って、脚部の間隔の収縮状態がロックされてそのまま保持される。脚部間隔を収縮させた状態で、システム天井の帯状の開口に挿入する。装着金具の鍔片がＴバーに接触するまで挿入して固定金具を押し上げると、固定金具が脚部を開いた平常状態に復帰する。
【００１２】
固定金具と装着金具の挿入後、やや長いドライバを使って２本の締付ネジを締付ける。締付ネジの締付けで、対構造のＴバーの間に跨設された固定金具により、装着金具が装着室を床面側に開口させてシステム天井に取付けられる。その後、装着金具の装着室に、火災感知器の本体が挿入される。このようにして直方体状の火災感知器の本体が、システム天井の開口内に着脱自在に装着される。
【００１３】
【実施例】
実施例１．
以下、この発明の実施例を、図面を用いて説明する。
図１はこの発明の実施例１の構成説明図、図２は図１の正面図、図３は図１の背面図、図４は図１の底面図、図５はこの発明の実施例の組付け状態を示す断面図である。本発明実施例では火災感知器の取付装置等が含まれて構成部品も多く、感知器の本体の構造や配置も前述の装置と非共通な部分もあるので、同一機能部品に異なる符号を付して説明する。
【００１４】
図１乃至図５において、１はシステム天井、１１は前述のＴバーである。Ｔバー１１は図示のように縦杆部１２と横杆部１３とからなり、アルミニウムのような軽金属合金を引抜き加工した断面ほぼＴ字型の長い成型材が用いられている。Ｔバー１１は２本を２５mm（または１９mm或いは１２．５mm等）の一定幅の帯状の開口１４を隔てて逆Ｔ字状に並べて、図示されていない金具で対構造に連結して梁部材１０が構成される。
【００１５】
Ｔバー１１を対構造に組み合わせた各梁部材１０は、縦杆部１２を利用して屋根組や上層階の床梁等から列状になって天井空間に均一な高さで垂設される。垂設された梁部材１０の隣接列間で水平方向に対向して張出した横杆部１３の上に、天井張りされた天井板１５が載置されて保持される。
【００１６】
２は固定部材である。固定部材２の素材には金属板が用いられ、対向短辺で下部が連結された併立する一対の脚立片２１と２２を突出させた、図６に示すような脚立状の固定金具２０が形成される。２３，２４は固定金具２０の頂部、２５，２６は両頂部２１，２２にバーリング加工されたネジ孔で、ネジ孔２５，２６には図１〜３の２本の締付ネジ２７，２８が螺合される。
【００１７】
また、３１，３２は固定金具２０の脚部、３３，３４は脚部３１と３２の下端を内側に折り曲げた足部、３５，３６は大括弧形の打抜き孔の部分を折り曲げたときに脚部３１と３２の延長面上に形成された停止片である。脚立状に開かれた両脚部３１，３２には弾性力が付与されて、両側から押圧力を加えると足部３３，３４の平常状態の間隔が縮小する。固定金具２０は一対の脚立片２１，２２が平常の間隔を保持した状態で、システム天井１の開口１４を跨いで左右の横杆部１３上に跨設される（図１参照）。
【００１８】
４は、火災感知器を天井１に装着するためのベースとなる装着部材である。この実施例では装着部材４に全て金属材が用いられて、装着金具４０を構成している。装着金具４０は図７に示されているようなコ字状の上辺と左右の両側辺とを有する門形の保持枠４１と、やや薄い板材を鍔部を残して胴部を押出し加工した額縁枠４２と釣針形の２枚のバネ板４３とを備える。
【００１９】
額縁枠４２の左右の短辺にバネ板４３が円弧部を内側に突出させてスポット溶接で固着され、この額縁枠４２が保持枠４１の開口端に同様手段で一体に固着されている。４３部分を一体に固着した装着金具４０は開口端に鍔片４４を設けて縦断面が逆Ｕ字形に形成されて、内部に角筒状の装着室４５が構成されている。装着室４５の入口の両側には、バネ板４３の円弧部が露出されている。
【００２０】
４０ａは装着金具４０の上辺を貫通するバカ孔、４０ｂはバーリングのネジ孔を有する起立した取付片、４０ｃはＬ字形のヒンジ孔、４０ｄと４０ｅは左右の肩部に穿設された一対の差込孔と係止孔、４０ｆは底面（額縁枠４２）の鍔片４４に形成された小さな半円形の標識である。４０ｇは装着金具４０（保持枠４１）のコ字形の両側辺の折曲片、４０ｈは上辺の切除部である。
【００２１】
５は端子機構、５ａ〜５ｃは入出力用の３組の配線である。端子機構５は図１〜３のように装着金具４０の上部に設けられ、天井裏から引出された配線５ａ〜５ｃが接続される。図５の５０は端子機構５の端子台、５１は端子カバー、５２はコネクタプラグである。
【００２２】
６は火災感知器の本体である。６０は本体６のケースで、図８，９のように輪郭形状が小形な直方体状でほぼ中空の箱型に合成樹脂で成型されている。ケース６０は有蓋無底の主ケース６１と無蓋有底の副（補助）ケース６２からなり、主ケース６１は更にやや深い表ケース６３と浅めの裏ケース６４の２部分に分割されている。表ケース６３と裏ケース６４は表裏から嵌め合わされて２本のネジ６１ａ（図３参照）で固定され、底部に副ケース６２が嵌装されて主副両ケース６１，６２の開口部が互いに突き合わされている。因みに、本体の寸法を示せば、縦と横及び厚さが、それぞれ１１×６×２．４（cm）である。
【００２３】
６１ｂは主ケース６１の落込部、６１ｃは摺動部である。落込部６１ｂは前記装着室４５の入口のバネ板４３に対向して設けられ、結合された主ケース６１の両側面に形成される。また、摺動部６１ｃは主ケース６１の外側の四隅にできる稜線を直角に削り落として途中まで形成されている。６１ｄは主ケース６１の開口端の段部で形成され副ケース６２が嵌装される嵌入部、図示しない６１ｅは表ケース６３の嵌入部中央に設けられた肉厚部である。
【００２４】
図９の(a) において、６３ａは表ケース６３内のコの字壁６３ｂで囲まれたコネクタ室、６３ｃは２本の雌ネジスタッド、６３ｄは弓形壁、６３ｅはハの字壁、６３ｆは底部に突出した鍵形片である。コの字壁６３ｂと弓形壁６３ｄには、いずれも中央部に長四角形の通気口６３ｇと６３ｈが設けられている。そして、下方から本体６内に流入した空気流に搬送された煙が、ハの字壁６３ｅと弓形壁６３ｄに整流されて通気口６３ｈ，６３ｇを通して器外の上方に流出する。この結果、引続いて説明する光学台の中心部付近に煙を含んだ気流が誘導されて、火災感知器の本体６の煙の感知が効果的に行われる。
【００２５】
図９の(b) において、６４ａは裏ケース６４内の平行壁６４ｂで囲まれたコネクタ室、６４ｃは２本の中空の段付きスタッド、６４ｆは底部に突出した鍵形片で、これらの各部分は表ケース６３側のコネクタ室６３ａ等に対応する。６４ｇは裏ケース６４の両側辺に形成された幅の狭い縦溝、６４ｈは両側辺の内側に設けられた段部、６４ｉはテスト用と調整用のために背面に設けられた貫通孔、６４ｊは２本の位置決めピンである。また、６４ｋは開口辺に沿い段部６４ｈと同高の底壁、６４ｍは底壁６４ｋに設けられた排水口である。段部６４ｈや底壁６４ｋは、位置決め以外に合成樹脂製のケース６４を補強する。特に、底壁６４ｋにより、奥行きの深い箱型のケース６４の開口部を堅牢にする。
【００２６】
主ケース６１の内部の収納部品の配置状態が、図５および図１０に示されている。
６５は背面に電子部品を実装したプリント基板、６６はコネクタソケット、６７は光学台、６８は薄板状の光学台カバー、６９は防虫網、７０はプリント基板６５に接続されて垂下された表示灯（確認灯）である。プリント基板６５は中空段付きスタッド６４ｃと段部６４ｈ及び位置決めピン６４ｊにより、背面側に隙間を空けて裏ケース６４の内部にセッテングされる。
【００２７】
セッテングされたプリント基板６５は、ケース６０の内部空間を２室に分断する。プリント基板６５の内部空間の分断で、裏側で電子部品を収納した実装室７２を表側の検知室７１から隔離する。また、セッテング状態におけるプリント基板６５上のコネクタソケット６６は、コネクタ室６４ａ内に収容されて、端子台５０のコネクタプラグ５２に対向するようになっている。
【００２８】
また、光学台６７と光学台カバー６８は黒色樹脂で成型されて、光学台カバー６８の図示しないピンによって円筒型に組合わせられるような構造に作られている。円筒状の光学台６７の内部には、Ｙ字型やＪ字型の多数の遮光片６７ａが周辺部に設けられ、投光素子６７ｂと受光素子６７ｃ（共に正確な表示は省略されている。）の設置位置も設計されている。６９は光学台６７の円周面を囲繞する防虫網である。
【００２９】
そして、光学台６７の内部は所謂ラビリンス構造を形成しており、外部光を遮断し火災で発生した煙のみが流通できるように構成されている。
【００３０】
一方、副ケース６２において、６２ａは側壁に貫設された細長い角型の煙流入口、６２b は内部中央の平行仕切り、６２ｃと６２ｄは平行仕切り６２ｂの左右空間を６個の通気室ｒ1 〜ｒ6 に仕切るＹ字仕切りである〔図８、図９(c) 〕。また、６２ｅは平行仕切り６２ｂ内で長辺寄りに設けられた表示窓、６２ｆは開口部側が傾斜し奥に段部を形成した突起である。煙流入口６２ａは長辺の側壁に各２個、短辺の側壁に各１個ずつ設けられて、これらの各煙流入口６２ａはそれぞれ通気室ｒ1 〜ｒ6 に対応している。
【００３１】
６２ｇは両仕切り６２ｂ〜ｄの各先端と前後左右の４面の側壁との間に形成された狭い間隙、６２ｈと６２ｉは嵌装部と薄肉部である。副ケース６２には、防塵を兼ねた防虫網７３が組み込まれている。
防虫網６９は、光学台６７の円周面を囲繞する。
防虫網７３を組み付けた副ケース６２は、プリント基板６５と光学台６７を収容した主ケース６１の底部に取外し自在に嵌合される。
【００３２】
副ケース６２が嵌合されると、突起６２ｆが主ケース６１の鍵形片６３ｆと６４ｆに係止してロックされる。同時に、表示灯７０が、表示窓６２ｅの窓枠内に対面される。この際、表示窓６２ｅの偏り位置及び表ケース６３の肉厚部６１ｅと副ケース６２の薄肉部６２ｉとの対応関係から、嵌め合い動作の正誤が判断されて前述の標識４０ｆと同様機能を司る。主ケース６１と副ケース６２とを結合したケース６０は全接合部が密に嵌合され、煙流入口６２ａから流入して垂直方向の通気路を上昇する気流の側部からの洩れが設計上は絶無に等しく構成されるようになっている。
【００３３】
上述のような構成の本発明実施例の火災感知器の組立動作等を図１１で説明すれば、次の通りである。
予め、内部にプリント基板６５等が組み付けられた主ケース６１の底部に副ケース６２が結合されて、図８に示されているような火災感知器の本体６が構成されているものとする。そして、前面の検知室７１には光学台６７と光学台カバー６８とからなる検知部が形成され、裏面の実装室７２にはプリント基板６５に実装されたチップ部品が収容される。また、装着金具４０の上部には、入出力用の端子機構５も固定されている（図１〜３，５）。
【００３４】
端子機構５を固定した装着金具４０を、脚立状に開かれた固定金具２０の足部３３，３４の間に端子機構５側から差し込む。締付ネジ２７，２８を内部側から装着金具４０のバカ孔４０ａ，４０ａに挿入し、それぞれネジ先だけを脚立片２１，２２のネジ孔２５，２６に僅かに螺合させる。ネジ先のみの螺合で端子機構５を取付けた装着金具４０が、固定金具２０の脚部３１，３２の内側に多少ガタ付いて仮に組付けられる。
【００３５】
仮組付けの状態ではバカ孔４０ａ，４０ａの中に締付ネジ２７，２８が通された装着金具４０が、螺合が残されたネジ部の範囲内で自由に移動できる。
そこで、開かれたバネ性の脚部３１，３２を両側から押圧して間隔を狭めながら、固定金具２０を装着金具４０側に押し付ける。押付けられた固定金具２０の足部３３，３４の先端が額縁枠４２に嵌入して、停止片３５，３６が額縁枠４２に接触して挿入が停止する。そして、足部３３，３４の先端の嵌入で、図１１の(a) に示されたように脚部３１，３２の間隔を収縮して薄幅にした状態がそのまま保持される。
【００３６】
一方、前述の装着金具４０の固定金具２０への仮組付けが終わったときに、入出力用の配線５ａ〜５ｃをシステム天井１の開口１４から引き出す。引き出した配線５ａ〜５ｃの剥き出した心線を、図５のように端子カバー５１を開いて端子台５０に差込んで接続する。端子カバー５１を矢印方向に起して、ロックする。
【００３７】
ここで、配線が済んで前記の薄幅に保持した状態の固定金具２０と装着金具４０を、床面側からシステム天井１の開口１４に挿入する。装着金具４０の鍔片４４がＴバー１１に接触して奥まで挿入し、固定金具２０を押し上げると、仮組付けの遊びで固定金具２０が脚部３１，３２を広げて平常間隔に復帰する。このときの両金具２０と４０の状態が、図１１(b) に示されている。
【００３８】
固定金具２０と装着金具４０の挿入後、やや長いドライバを下から差込んで、２本の締付ネジ２７，２８を締付ける。締付ネジ２７，２８の締付けで、対構造のＴバー１１の間に跨設された固定金具２０により、装着金具４０が装着室４５を床面側に開口させてシステム天井１に取付けられる。その後、装着金具４０の装着室４５に、火災感知器の本体６が主ケース６１側から挿入される。この場合、装着金具４０の折曲片４０ｇによって、本体６の摺動部６１ｃが案内されるのでスムーズに挿入して取付けることができる。
【００３９】
このようにして直方体状の火災感知器の本体６が、システム天井１の開口１４内に装着される。同様の動作で、同一階層内の火災感知器が、システム天井１に監視地域毎に設置される。そして、各階層のシステム天井１に取り付けられた火災感知器群が、それぞれ配線５ａ〜５ｃを介して回線毎に監視室に設置された火災受信機に接続される。
【００４０】
火災が発生すると加熱した煙が屋内を上昇して、システム天井１の開口１４に取り付けられた火災感知器６の各煙流入口６２ａから通気室ｒ1 〜ｒ6 内に流入し、検知室７１内に設けられた光学台６７のラビリンスの中心部方向を縦断する通気路を上昇して器外に放出される。
【００４１】
一方、光学台６７内の投光素子６７ｂは、周期的にパルス点灯されている。そして、投光素子６７ｂから投射した光が流入した煙の濃度に応じて散乱され、受光素子６７ｃがこの散乱光を検出する。受光素子６７ｃの検出信号はプリント基板６５上の電子回路で増幅され、煙の濃度が設定値を越えると配線５ａ〜５ｃを介して受信機に送られる。この結果、火災地区を表示すると共に、屋内の各所に設けられた警報機を吹鳴させて火災の発生を報知する。同時に、表示灯７０が点灯されて、火災で動作した火災感知器を表示窓６２ｅで視認することができる。
【００４２】
また、定期的な保守・点検時において、本体６を取外す必要があるときは、火災感知器の本体６の露出部分を摘んで引き下げる。すると、凹凸の嵌め合い構造によってはバネ板４３と落込部６１ｂの係合が解除されて、本体６を装着室４５から手動で引き抜くことも可能である。装着室４５から取り外された本体６は、突起６２ｆと鍵形片６３ｆ，６４ｆの係合を解いて主ケース６１から副ケース６２が外される。更に、１本または２本のネジ６１ａを緩めれば、主ケース６１が表ケース６３と裏ケース６４に分離して内部が簡単に分解される。分解された光学台６７や防虫網６９等が手入れされ、プリント基板６５は電子回路の点検等が実施される。
【００４３】
適用例
本発明の別の適用例では実施例１における説明と異なり、火災感知器の本体６が前述のシステム天井１に形成される無限的な帯状の開口１４ではなく、有限の長辺を有する長方形の開口に装着されている。
【００４４】
適用例の構成が、図１２と図１３に示されている。
図１２，１３の１６は、火災感知器の本体６を装着するための長方形の開口である。開口１６は装着金具４０の横断面よりやや大きい輪郭形状で、例えば天井板１５に設けられている。その他の装着金具等の構成は、前記の説明と同一になっているので、再説明を省略する。
【００４５】
なお、上述した本発明の実施例では火災感知器を天井に取付けた場合を例示して説明したが、天井以外の側壁等の場合にも本発明を適用することができる。また、固定部材と装着部材の素材に金属を用いた場合で説明したが、ナットや板バネ或いは補強用の金属薄板をインサート成型した合成樹脂部材を用いることも可能である。
【００４６】
さらに、ラビリンスの内部で火災時に発生する煙の反射光に伴う受光素子の受光量の変化で火災の発生を感知する火災感知器で説明したが、火災時の熱の発生に伴う半導体の抵抗変化等を利用する火災感知器でもよく、その他の部品の材質や形状も必ずしも実施例に限定するものではない。
【００４７】
【発明の効果】
この発明には係る火災検知器は、下部に煙流入口が設けられて横断面が矩形状の直方体形のケースと、ケース内の上下方向に設けられて内部空間を２室に分割するプリント基板と、プリント基板の一方の空間に形成された検知室とを備えたので、火災感知器が小型で露出部分が少なく、天井面内に火災感知器をスッキリ収納することができシステム天井の思想に添うことができる。
【００４８】
また、次に挙げるような効果等も得ることができる。
（１）  １，２本程度の少ないネジで組み付けられて固定された本体のケースを分割可能にしたので、部品が少なく、検知部の内部にゴミ類が溜まったときの清掃が容易で保守・点検にも都合がよい。
（２）  本体と副ケースを誤って挿入することを防ぐ逆結合防止手段を設けたので、暗い天井の作業でも装着を誤ることがない。
（３）  火災感知器の本体、特に電子部品を収容した部屋に水が溜ると、短絡して破壊される。この発明は実装室を水抜き構造にしたので、短絡事故等を未然に防止することができる。
【００５０】
よって、本発明によれば、天井面の露出部が少なく小型な直方体型で、しかも設計面や意匠面で特にシステム天井に適する等の種々の利点のある火災感知器を提供することができる。
【図面の簡単な説明】
【図１】この発明の実施例の構成説明図である。
【図２】図１の正面図である。
【図３】図１の背面図である。
【図４】図１の底面図である。
【図５】この発明の実施例の組付け状態を示す断面図である。
【図６】この発明の実施例の固定金具の斜視図である。
【図７】この発明の実施例の装着金具の斜視図である。
【図８】この発明の実施例の本体の斜視図である。
【図９】この発明の実施例のケースの分解内面図である。
【図１０】この発明の実施例のケース内の組付け状態を示す平面図である。
【図１１】この発明の実施例の動作説明図である。
【図１２】この発明の適用例の構成説明図である。
【図１３】図１２の底面図である。
【図１４】従来の火災感知器の構成説明図である。
【符号の説明】
１  システム天井
２  固定部材
４  装着部材
５  端子機構
６  火災感知器の本体
１１  Ｔバー
１４  開口
１５  天井板
１６  開口
２０  固定金具
２１，２２  脚立片
２７，２８  締付ネジ
４０  装着金具
４０ｆ  標識
４１  保持枠
４２  額縁枠
４３  バネ板
４４  鍔片
４５  装着室
５０  端子台
６０  ケース
６１  主ケース
６１ａ  ネジ
６１ｂ  落込部
６１ｃ  摺動部
６２  副（補助）ケース
６２ａ  煙流入口
６２ｅ  表示窓
６３  表ケース
６３ｆ  鍵形片
６３ｇ  通気口
６３ｈ  通気口
６４  裏ケース
６４ｆ  鍵形片
６４ｍ  排水口
６５  プリント基板
６７  光学台
６７ｂ  投光素子
６７ｃ  受光素子
６８  光学台カバー
６９  防虫網
７０  表示灯（確認灯）
７１  検知室
７２  実装室
７３  防虫網
【図１】
0003687010.tif 000002
【図２】
0003687010.tif 000003
【図３】
0003687010.tif 000004
【図４】
0003687010.tif 000005
【図５】
0003687010.tif 000006
【図６】
0003687010.tif 000007
【図７】
0003687010.tif 000008
【図８】
0003687010.tif 000009
【図９】
0003687010.tif 000010
【図１０】
0003687010.tif 000011
【図１１】
0003687010.tif 000012
【図１２】
0003687010.tif 000013
【図１３】
0003687010.tif 000014
【図１４】
0003687010.tif 000015